(57)【要約】      （修正有）【課題】施工性が高く材料コストが低廉な布団篭及び擁壁を提供する。【解決手段】布団篭１は、全ての側面材が溶接金網からなり、蓋面材が、格子状の合成樹脂製ジオグリッドからなる。擁壁Ａは、斜面の前面に複数の布団篭１を階段状に連結配置し、布団篭１内に中詰材Ａ１を充填してなり、最上段の布団篭１は、全ての側面材が溶接金網からなり、側面材の上部全面を上蓋面材２１が被覆し、最上段の布団篭１以外の布団篭１は、全ての側面材が溶接金網からなり、側面材の上部の内、少なくとも段面上を中蓋面材２２が被覆し、上蓋面材２１及び中蓋面材２２が、格子状の合成樹脂製ジオグリッドからなる。【選択図】図１
0003235351.tif 000002
【実用新案登録請求の範囲】
【請求項１】
全ての側面材が溶接金網からなる布団篭において、
蓋面材が、格子状の合成樹脂製ジオグリッドからなることを特徴とする、
布団篭。
【請求項２】
前記蓋面材の格子寸法が、前記側面材の溶接金網の網目寸法より小さいことを特徴とする、請求項１に記載の布団篭。
【請求項３】
コイル状の金属線からなる連結材を備え、前記連結材を、前記蓋面材の格子及び前記側面材の網目に連通することで、前記蓋面材を前記側面材と連結したことを特徴とする、請求項１又は２に記載の布団篭。
【請求項４】
底面材が、格子状の合成樹脂製ジオグリッドからなることを特徴とする、請求項１乃至３のいずれか一項に記載の布団篭。
【請求項５】
斜面の前面に複数の布団篭を階段状に連結配置し、前記布団篭内に中詰材を充填してなる擁壁であって、
最上段の布団篭は、全ての側面材が溶接金網からなり、前記側面材の上部全面を上蓋面材が被覆し、
前記最上段の布団篭以外の布団篭は、全ての側面材が溶接金網からなり、前記側面材の上部の内、少なくとも段面上を中蓋面材が被覆し、
前記上蓋面材及び前記中蓋面材が、格子状の合成樹脂製ジオグリッドからなることを特徴とする、
擁壁。
【請求項６】
各段の布団篭が底面に開口を有し、上下の前記布団篭内の前記中詰材が連続することを特徴とする、請求項５に記載の擁壁。
【請求項７】
前記上蓋面材及び前記中蓋面材の格子寸法が、前記側面材の溶接金網の網目寸法より小さいことを特徴とする、請求項５又は６に記載の擁壁。
【請求項８】
最下段の布団篭が底面材を有し、前記底面材が格子状の合成樹脂製ジオグリッドからなることを特徴とする、請求項５乃至７のいずれか一項に記載の擁壁。
【考案の詳細な説明】
【技術分野】
【０００１】
本考案は布団篭及び擁壁に関し、特に施工性が高く材料コストが低廉な布団篭及びこれを用いてなる擁壁に関する。
【背景技術】
【０００２】
布団篭は、斜面の土留めや海岸や河川の護岸などに用いる函状の土木資材であって、内部に砕石などの中詰材を充填して使用する。
特許文献１には、全面を溶接金網で構成した布団篭と、これを階段状に積層してなる擁壁が開示されている。
【先行技術文献】
【特許文献】
【０００３】
【特許文献１】特開２０２０−６００２９号公報
【考案の概要】
【考案が解決しようとする課題】
【０００４】
従来技術には、以下のような問題点がある。
＜１＞側面網（本体網）には中詰材の側圧に抵抗する剛性が求められる反面、中詰材の上部を被覆するだけの蓋網には剛性は求められていない。にもかかわらず、蓋網が中詰材の粒径に合わせて側面網と同一の網目寸法となり、必要な剛性を超えた鉄量となるため、材料コストが嵩む。
＜２＞斜面の曲線部等の施工では、布団篭同士を、角度をつけて接続するため、蓋網の一部が重合する（図５）。しかし蓋網が線径の大きい溶接金網からなるため、重合部が厚みを持ち、各段の厚みが累積することで擁壁全体に歪みが生じるおそれがある。
＜３＞重合部の厚みを解消するために蓋網を切除する場合、クリッパーで線材を１本ずつ切断する必要があり、作業に大きな力が要るため、作業員の肉体的負担が大きい。
＜４＞蓋網の重量が大きいため、取り回しが困難で、階段状の擁壁において、最終工程で蓋網を荷上げする際、蓋網が落下すると地上に被害を及ぼすおそれがある。
＜５＞溶接金網は重ねると滑りやすいため、蓋網を現場に積み上げると、僅かな衝撃で崩れるおそれがある。また、擁壁の段上で作業する際、蓋網の上で足を滑らしやすく作業性が悪い。
【０００５】
本考案の目的は、以上のような問題点を解決するための布団篭及び擁壁を提供することにある。
【課題を解決するための手段】
【０００６】
本考案の布団篭は、全ての側面材が溶接金網からなり、蓋面材が、格子状の合成樹脂製ジオグリッドからなることを特徴とする。
【０００７】
本考案の布団篭は、蓋面材の格子寸法が、側面材の溶接金網の網目寸法より小さくてもよい。
【０００８】
本考案の布団篭は、コイル状の金属線からなる連結材を備え、連結材を、蓋面材の格子及び側面材の網目に連通することで、蓋面材を側面材と連結してもよい。
【０００９】
本考案の布団篭は、底面材が、格子状の合成樹脂製ジオグリッドからなっていてもよい。
【００１０】
本考案の擁壁は、斜面の前面に複数の布団篭を階段状に連結配置し、布団篭内に中詰材を充填してなり、最上段の布団篭は、全ての側面材が溶接金網からなり、側面材の上部全面を上蓋面材が被覆し、最上段の布団篭以外の布団篭は、全ての側面材が溶接金網からなり、側面材の上部の内、少なくとも段面上を中蓋面材が被覆し、上蓋面材及び中蓋面材が、格子状の合成樹脂製ジオグリッドからなることを特徴とする。
【００１１】
本考案の擁壁は、各段の布団篭が底面に開口を有し、上下の布団篭内の中詰材が連続していてもよい。
【００１２】
本考案の擁壁は、上蓋面材及び中蓋面材の格子寸法が、側面材の溶接金網の網目寸法より小さくてもよい。
【００１３】
本考案の擁壁は、最下段の布団篭が底面材を有し、底面材が格子状の合成樹脂製ジオグリッドからなっていてもよい。
【考案の効果】
【００１４】
本考案の布団篭及び擁壁は、次の効果の内少なくとも１つを備える。
＜１＞高い剛性が求められる側面網を溶接金網、蓋面材を比較的安価なジオグリッドとする合理的構造によって、過剰設計を排し、材料コストを低減することができる。
＜２＞蓋面材が平坦なジオグリッドからなるため、曲線部の施工において、蓋面材の重合部が厚くならない。よって、擁壁に歪みが生じにくい。
＜３＞ジオグリッドはカッターで容易に切断できるため、現場で蓋面材の寸法を調整したり、蓋面材の重合部を切除することができる（図４）。
＜４＞ジオグリッドは薄くて軽量なので、蓋面材の取り扱いが容易で作業性がよい。
＜５＞ジオグリッドは格子状で表面に微細な凹凸があるため、滑りにくく、蓋面材上での作業が容易である。
＜６＞ロール状に巻いた状態で運送／保管することができるため、運送や保管に広い面積を必要としない。
【図面の簡単な説明】
【００１５】
【図１】本考案の擁壁の説明図。
【図２】本考案の布団篭の説明図。
【図３】蓋面材の説明図。
【図４】曲線部の施工の説明図。
【図５】従来技術の説明図。
【考案を実施するための形態】
【００１６】
以下、図面を参照しながら本考案の布団篭及び擁壁について詳細に説明する。
なお、本願考案において、「斜面」とは、法面と自然斜面を含んだ面を意味する。
【実施例１】
【００１７】
[擁壁]
＜１＞全体の構成（図１）
擁壁Ａは、斜面の土圧に抗して斜面の崩壊を防ぐための土木構造物である。
擁壁Ａは、斜面の前面に階段状に設置した複数の布団篭１と、布団篭１内に充填した中詰材Ａ１と、を少なくとも備える。
本例では、斜面と布団篭１の背面の間に排水用の裏込材Ａ２を充填する。裏込材Ａ２は例えば砕石である。
本考案の擁壁Ａは、布団篭１の蓋面材２０が、ジオグリッドからなる。布団篭１の具体的構造については後述する。
本例では、各段の布団篭１が底面に開口を有し、布団篭１内の中詰材Ａ１が上下に連続する。
これによって、中詰材Ａ１が地盤から最上段まで連続して噛み合うことで、強固な一体構造を構成する。また、中詰材Ａ１の転圧作業において、上下段の中詰材Ａ１が底面材によって縁切りされないため、締固め力を下段に有効に伝達することができる。
本例では、最下段の布団篭１が底面材３０を有し、底面材３０が底面の開口を塞ぐ。
【００１８】
＜２＞布団篭（図２）
布団篭１は、函状の篭体である。
布団篭１は、溶接金網からなる複数の側面材１０と、ジオグリッドからなる蓋面材２０と、を少なくとも備える。
本例では、側面材１０として、断面略Ｌ字形の本体網１１と、端部網１２と、の組み合わせを採用し、２枚の本体網１１を、底面部１１ｂを内側に向けて対向配置して１スパンとし、この本体網１１を適宜のスパン延長して、布団篭１の幅方向の両面を構成し、長手方向の両端を端部網１２で接続する。
対向する本体網１１の底面部１１ｂの間には、開口が構成される。
隣り合う本体網１１同士、及び本体網１１と端部網１２は、連結材４０によって連結する。
本例では更に、対向する２枚の本体網１１間に配置する複数の中枠５０と、端部網１２と中枠５０を連結する複数の補強線材（不図示）と、を備える。
なお、本例では布団篭１を擁壁Ａに用いるが、用途は擁壁Ａに限らず、護岸や構造物の根固め等にも使用することができる。
【００１９】
＜３＞側面材
側面材１０は、布団篭１の側面を構成する部材である。
本例では側面材１０として、本体網１１と、端部網１２と、の組み合わせを採用する。
本体網１１は、布団篭１の前面及び背面を構成する金網である。
本体網１１は、面状の側面部１１ａの下辺と面状の底面部１１ｂの側辺とが結合した断面略Ｌ字形状を呈する。
端部網１２は、布団篭１の端面を構成する金網である。
端部網１２は、矩形の面状を呈する。
本例では、本体網１１及び端部網１２の素材として、亜鉛アルミ合金めっき鉄線を採用する。ただしこれに限らず、亜鉛めっき鉄線、亜鉛アルミマグネシウム合金めっき鉄線、又はステンレス鉄線等であってもよい。
【００２０】
＜４＞蓋面材（図３）
蓋面材２０は、布団篭１の蓋面を構成する部材である。
蓋面材２０は、最上段の布団篭１の上部を覆う上蓋面材２１と、布団篭１の段面上を覆う中蓋面材２２からなる。
上蓋面材２１及び中蓋面材２２は、格子状の合成樹脂製ジオグリッドからなる。
本例では、上蓋面材２１及び中蓋面材２２として、高強度ポリエステル繊維を収束して芯材とし、格子状に組んだ芯材をポリプロピレン樹脂で被覆して成型したジオグリッドを採用する。
ただしジオグリッドの素材はこれに限らず、例えば芯材として高強度ナイロン繊維、高強度ポリエステル繊維、アラミド繊維等を採用してもよい。また、被覆樹脂としてアクリル系樹脂等を採用してもよい。
本例では、ジオグリッドの格子寸法が、側面材１０の溶接金網の網目寸法より小さい。ここで「格子寸法」「網目寸法」とは、隣り合う格子又は鉄線の中心から中心までの距離（ピッチ）を意味する。
ジオグリッドは、高強度で高い耐衝撃性と耐候性を備えながら、溶接金網に比べて薄く軽量なので、取り扱いが容易である。
また、カッターで容易に切断できるため、ロール状に巻いた状態で運送して、現場で切り分けて施工することができる。このため、運送が容易で、保管に広い面積を必要としない。
更に、現場で切断できるため、寸法調整が容易である。
【００２１】
＜５＞底面材
底面材３０は、布団篭１の底面を構成する部材である。
本例では、底面材３０として、格子状の合成樹脂製ジオグリッドを採用する。
ジオグリッドの素材や構造は、蓋面材２０と同様なので再述しない。
底面材３０は、対向する本体網１１の底面部１１ｂの間に配置して連結材４０で連結し、開口を塞ぐ。
底面材３０によって、特に布団篭１を護岸等に用いる場合、洗堀による中詰材Ａ１の吸出しを防ぐことができる。
【００２２】
＜６＞連結材
連結材４０は、本体網１１、端部網１２、蓋面材２０、及び中枠５０等を相互に連結するための部材である。
本例では連結材４０として、金属製のコイル材を採用する。これを各部材の線材に巻き付けることで、確実に連結する。
ただし、連結材４０は連結コイルに限られず、番線、結束帯、ピン、クリップなどの他の公知の手段を採用することができる  
【００２３】
＜７＞中枠
中枠５０は、側面材１０を補強して変形を防止するための部材である。
中枠５０は、鉄線を布団篭１の断面形状に対応した枠状に組んでなる。
中枠５０は、対向する２枚の本体網１１の側面部１１ａの間に配置し、連結材４０によって、中枠５０の両側を本体網１１の側面部１１ａに連結する。
中枠５０によって、対向する本体網１１を連結することで、中詰材Ａ１の側圧による側面部１１ａの孕み出しや変形を防止することができる。
【００２４】
＜８＞曲線部の施工（図４）
本考案の擁壁Ａは、蓋面材２０がジオグリッドからなるため、斜面の曲線部における施工が容易である。
すなわち、斜面の曲線部では、２つの布団篭１に角度をつけて連結するが、この際、蓋面材２０が重なる重合部Ｌが生じる。
従来技術の布団篭は、蓋面材が線径の太い溶接金網からなるため、重合部が厚みを持ち、特に擁壁の施工では、各段の重合部の厚みが蓄積することで全体として大きな歪みが生じるおそれがある。
これを解消するために、重合部を切断することが考えられるが、擁壁は電源の確保が難しい山間部での施工が多く、サンダー等の電動工具を使用できることが少ない。この場合、クリッパーで線材を１本ずつ切断してゆくが、切断には大きな力が必要であり、作業員の肉体的負担が非常に大きい。また、線材の切断面が鋭利で、軍手をしていても怪我をするおそれがある。
これに対し、本考案の布団篭１は、蓋面材２０が平坦なジオグリッドからなるため、蓋面材２０の重合部Ｌが厚くならず、擁壁Ａに歪みが生じにくい。
また、ジオグリッドはカッターで切断できるため、重合部Ｌを切断して除去することも容易である。
【符号の説明】
【００２５】
１  布団篭
１０  側面材
１１  本体網
１１ａ  側面部
１１ｂ  底面部
１２  端部網
２０  蓋面材
２１  上蓋面材
２２  中蓋面材
３０  底面材
４０  連結材
５０  中枠
Ａ  擁壁
Ａ１  中詰材
Ａ２  裏込材
Ｌ  重合部
【図１】
0003235351.tif 000003
【図２】
0003235351.tif 000004
【図３】
0003235351.tif 000005
【図４】
0003235351.tif 000006
【図５】
0003235351.tif 000007